(57)【要約】【課題】チャンクを用いた学習を利用することにより外国語の発音能力を向上するための外国語学習装置を提供する。【解決手段】複数の登録事項を特定するための登録事項のそれぞれに対応付けられた符号とを記憶して、記憶手段に記憶されている符号を出力装置上に表示させる表示手段と、表示手段により出力装置上に表示された符号のうちから選択された符号に対応する登録事項を瞬間的に点滅させるフラッシュ手段と、登録事項に含まれる文字列をチャンク単位に分け、文字列に対応する音声データ全体の再生時間とチャンクごとに対応する音声データの再生時間との比率をそれぞれ算出しチャンク構成比とし、チャンク構成比に基づきフラッシュ手段の点滅時間を設定するチャンク設定手、出力装置上に点滅する文字列を認識できたかを判定する判定手段とする学習機器とそのプログラムである。【選択図】図２
2007133052.tif 000002
【特許請求の範囲】
【請求項１】
複数の登録事項を特定するための前記登録事項のそれぞれに対応付けられた符号とを記憶する記憶手段と、
前記記憶手段に記憶されている前記符号を出力装置上に表示させる表示手段と、
前記表示手段により前記出力装置上に表示された前記符号のうちから選択された前記符号に対応する前記登録事項を瞬間的に点滅させるフラッシュ手段と、
前記登録事項に含まれる文字列をチャンク単位に分け、前記文字列に対応する音声データ全体の再生時間と前記チャンクごとに対応する前記音声データの前記再生時間との比率をそれぞれ算出しチャンク構成比とし、前記チャンク構成比に基づき前記フラッシュ手段の点滅時間を設定するチャンク設定手段と、
前記出力装置上に点滅する前記文字列を認識できたかを判定する判定手段と、
を具備することを特徴とする学習機器。
【請求項２】
コンピュータに、
複数の登録事項を特定するための前記登録事項のそれぞれに対応付けられた符号とを記憶する記憶機能と、
前記記憶機能に記憶されている前記符号を出力装置上に表示させる表示機能と、
前記表示機能により前記出力装置上に表示された前記符号のうちから選択された前記符号に対応する前記登録事項を瞬間的に点滅させるフラッシュ機能と、
前記登録事項に含まれる文字列をチャンク単位に分け、前記文字列に対応する音声データ全体の再生時間と前記チャンクごとに対応する前記音声データの前記再生時間との比率をそれぞれ算出しチャンク構成比とし、前記チャンク構成比に基づき前記フラッシュ手段の点滅時間を設定するチャンク設定機能と、
前記出力装置上に点滅する前記文字列を認識できたかを判定する判定機能と、
を実現させるための学習機器のプログラム。
【請求項３】
音声を入力装置から入力し音声データとして記録する記録手段と、
前記音声データを文字列変換して記録するとともに、前記文字列変換時に文字化するために必要とする文字ごとに対応する前記音声データの範囲を文字範囲時間とし、前記文字列を構成する各文字から単語を生成するとともに、前記文字範囲時間に基づいて前記単語ごとの単語範囲時間を生成して記録する単語範囲記録手段と、
予め設定した前記音声のレベルを判定する閾値と、前記音声のレベルが前記閾値の範囲内のレベルである時間を計測し、予め設定した判定値と前記計測の結果を比較し、前記判定値以上であれば調整範囲として調整範囲時間を生成して記録する調整範囲記録手段と、
前記調整範囲に挟まれた１つ以上の前記単語の集合をチャンク範囲としチャンク範囲時間を生成し記録するチャンク範囲記録手段と、
前記チャンク範囲の前後の前記調整範囲の時間を調整し、前記チャンク範囲時間と合計して、前記チャンク範囲時間を調整するチャンク範囲記録手段と、
を具備することを特徴とする学習機器。
【請求項４】
コンピュータに、
音声を入力装置から入力し音声データとして記録する記録機能と、
前記音声データを文字列変換して記録するとともに、前記文字列変換時に文字化するために必要とする文字ごとに対応する前記音声データの範囲を文字範囲時間とし、前記文字列を構成する各文字から単語を生成するとともに、前記文字範囲時間に基づいて前記単語ごとの単語範囲時間を生成して記録する単語範囲記録機能と、
予め設定した前記音声のレベルを判定する閾値と、前記音声のレベルが前記閾値の範囲内のレベルである時間を計測し、予め設定した判定値と前記計測の結果を比較し、前記判定値以上であれば調整範囲として調整範囲時間を生成して記録する調整範囲記録機能と、
前記調整範囲に挟まれた１つ以上の前記単語の集合をチャンク範囲としチャンク範囲時間を生成し記録するチャンク範囲記録機能と、
前記チャンク範囲の前後の前記調整範囲の時間を調整し、前記チャンク範囲時間と合計して、前記チャンク範囲時間を調整するチャンク範囲記録機能と、
を実現させるための学習機器のプログラム。
【請求項５】
前記フラッシュ手段は、前記チャンク構成比に基づいて前記出力装置上に画像または動画を表示することを特徴とする請求項１に記載の学習機器。
【発明の詳細な説明】
【技術分野】
【０００１】
本発明は、外国語の学習を効率的に行うための外国語学習機器の技術に関する。
【背景技術】
【０００２】
近年、会議システムの発達により、会議をする相手を表示して会話をすることが一般的になりつつある。そのような状況において、音声だけのコミュニケーション以上に発音や適切な表現が重視されつつある。一見、画像があれば相手に理解さやすいようであるが一概にそうとは言えず、会話をする相手が見える方が発音や適切な表現を求められることがある。
【０００３】
ところが、従来の外国語学習装置において行われていた学習は、聴き取り能力を開発するためには、ネイティブスピーカ等によって読み上げた、外国語の文章等を記録媒体に録音し、これを再生して学習者に聴き取らせるものが主流である。
【０００４】
上記のような外国語学習装置を用いた聴き取り学習では、当然のことながら、学習者の語学レベルが低い場合には文章を何度繰り返し聴いても聴き取ることができない。そのような場合に、チャンク（ある単語の意味ある集合単位）という概念を用いた外国語学習が注目を集めている。
【０００５】
例えば、日本人の主流の英語学習方法である単語テストは、英単語単体をバラバラに断片的に記憶しているため、実際に使用する状況になると会話ができない。さらに、発音に関して考慮されていないため、会話が正確に相手に伝わらない。
【０００６】
また、例えば英語学習において、日本語と英語の大きな違いとして、ａ）日本語は平坦で単調な発音である（話すスピードは言葉単位でも一定）。ｂ）英語は発音に強弱、リズム、イントネーションのメリハリがあり、スピード感のある言語である。ｃ）日本語と決定的に違うのは意味をあらわすチャンク単位によりスピードが全く異なるなどの問題がある。
【０００７】
そこで、上記のような場合に、会話に必要な文章を前置詞を含んだ情報処理ブロックで正しい発音と共に学習することで、学習者は、チャンク単位で正確な発音を聞き、無意識に正確な発音をすることができるようになる。
【０００８】
特許文献１によれば、上記のような問題点を、単純にキャラクタ構成比からフラッシュ表示することにより学習効果を向上させる提案がされている。例えば文章全体の単語のキャラクタ数を集計し、１０キャラクタ単位の表示スピードを設定し全体英文のフラッシュ時間を計算し、全体英文を一気にフラッシュしていた。
【０００９】
しかしながら、これでは英文単位が長く記憶することが困難である。さらに、各チャンクの時間配分による自然な英語と連動していないため、キャラクタ単位でフラッシュさせた場合には、単語や文章を暗記することができるが、聞き手が正確に聞き取れるような発音の練習にはならない。また、実際の自然なチャンク音声の構成と、キャラクタ構成では異なるものである。
【特許文献１】特開２００２−３５１２９４号公報
【発明の開示】
【発明が解決しようとする課題】
【００１０】
本発明は上記のような実情に鑑みてなされたものであり、チャンクを用いた学習を利用することにより外国語の発音能力を向上するための外国語学習装置を提供することを目的とする。
【課題を解決するための手段】
【００１１】
本発明のひとつの態様は、複数の登録事項を特定するための前記登録事項のそれぞれに対応付けられた符号とを記憶する記憶手段と、前記記憶手段に記憶されている前記符号を出力装置上に表示させる表示手段と、前記表示手段により前記出力装置上に表示された前記符号のうちから選択された前記符号に対応する前記登録事項を瞬間的に点滅させるフラッシュ手段と、前記登録事項に含まれる文字列をチャンク単位に分け、前記文字列に対応する音声データ全体の再生時間と前記チャンクごとに対応する前記音声データの前記再生時間との比率をそれぞれ算出しチャンク構成比とし、前記チャンク構成比に基づき前記フラッシュ手段の点滅時間を設定するチャンク設定手段と、前記出力装置上に点滅する前記文字列を認識できたかを判定する判定手段と、を具備する構成である。
【００１２】
また、本発明の他の態様は、コンピュータに、複数の登録事項を特定するための前記登録事項のそれぞれに対応付けられた符号とを記憶する記憶機能と、前記記憶機能に記憶されている前記符号を出力装置上に表示させる表示機能と、前記表示機能により前記出力装置上に表示された前記符号のうちから選択された前記符号に対応する前記登録事項を瞬間的に点滅させるフラッシュ機能と、前記登録事項に含まれる文字列をチャンク単位に分け、前記文字列に対応する音声データ全体の再生時間と前記チャンクごとに対応する前記音声データの前記再生時間との比率をそれぞれ算出しチャンク構成比とし、前記チャンク構成比に基づき前記フラッシュ手段の点滅時間を設定するチャンク設定機能と、前記出力装置上に点滅する前記文字列を認識できたかを判定する判定機能と、を実現させるための学習機器のプログラムである。
【００１３】
また、本発明の他の態様は、音声を入力装置から入力し音声データとして記録する記録手段と、前記音声データを文字列変換して記録するとともに、前記文字列変換時に文字化するために必要とする文字ごとに対応する前記音声データの範囲を文字範囲時間とし、前記文字列を構成する各文字から単語を生成するとともに、前記文字範囲時間に基づいて前記単語ごとの単語範囲時間を生成して記録する単語範囲記録手段と、予め設定した前記音声のレベルを判定する閾値と、前記音声のレベルが前記閾値の範囲内のレベルである時間を計測し、予め設定した判定値と前記計測の結果を比較し、前記判定値以上であれば調整範囲として調整範囲時間を生成して記録する調整範囲記録手段と、前記調整範囲に挟まれた１つ以上の前記単語の集合をチャンク範囲としチャンク範囲時間を生成し記録するチャンク範囲記録手段と、前記チャンク範囲の前後の前記調整範囲の時間を調整し、前記チャンク範囲時間と合計して、前記チャンク範囲時間を調整するチャンク範囲記録手段と、を具備する構成とする。
【００１４】
また、本発明の他の態様は、コンピュータに、音声を入力装置から入力し音声データとして記録する記録機能と、前記音声データを文字列変換して記録するとともに、前記文字列変換時に文字化するために必要とする文字ごとに対応する前記音声データの範囲を文字範囲時間とし、前記文字列を構成する各文字から単語を生成するとともに、前記文字範囲時間に基づいて前記単語ごとの単語範囲時間を生成して記録する単語範囲記録機能と、予め設定した前記音声のレベルを判定する閾値と、前記音声のレベルが前記閾値の範囲内のレベルである時間を計測し、予め設定した判定値と前記計測の結果を比較し、前記判定値以上であれば調整範囲として調整範囲時間を生成して記録する調整範囲記録機能と、前記調整範囲に挟まれた１つ以上の前記単語の集合をチャンク範囲としチャンク範囲時間を生成し記録するチャンク範囲記録機能と、前記チャンク範囲の前後の前記調整範囲の時間を調整し、前記チャンク範囲時間と合計して、前記チャンク範囲時間を調整するチャンク範囲記録機能と、を実現させるための学習機器のプログラムである。
【００１５】
また、好適には、前記フラッシュ手段は、前記チャンク構成比に基づいて前記出力装置上に画像または動画を表示する構成としてもよい。
【発明の効果】
【００１６】
本発明によれば、外国語の発音能力を向上しコミュニケーション能力を高めることができる。さらに、チャンクを自動生成することで生産効率を向上でき、利用者の発生した音声もチャンク化ができる。
【発明を実施するための最良の形態】
【００１７】
以下図面に基づいて、本発明の実施形態について詳細を説明する。なお、各図面において、同一の符号を付したものは、同様の構成または作用を有するものであり、これらについての重複説明は適宜省略する。
（実施例１）図１に、本発明に係る学習機器の主要構成要素についてのブロック図を示す。同図に示すように、学習機器は、記憶手段１と、表示手段２と、フラッシュ手段３と、認識手段４と、判定手段５と、判定結果出力手段６と、そして制御手段７と、を備えている。また、本発明に係る学習プログラムは、これらの各手段としてコンピュータを機能させるために、上述の記憶手段１に記録された学習用のプログラムである。さらに、本発明に係る記録媒体は、上述の各手段としてコンピュータを機能させるための学習プログラムが記憶された記憶手段１、例えば学習機器に組み込まれた記録媒体としてのハードディスクや持ち運び自在なＣＤ−ＲＯＭ，フレキシブルディスクなどである。上述の各手段の作用の概略は以下のとおりである。
【００１８】
記憶手段１は、後述する複数の登録事項（登録事項とは、一般的な意味における単語、及び単語の集合である熟語、文章（文字列）はもちろん、その外に、絵や図記号なども含むものとする）と、これら登録事項を特定すべく登録事項のそれぞれに対応付けられた個別の符号とを記憶する。
【００１９】
表示手段２は、記憶手段１に記憶されている符号を出力装置８上に表示させるものである。ここで、出力装置８は、モニタ、スピーカや通信（インターネット、無線（ＬＡＮ）等）を利用したものである。
【００２０】
フラッシュ手段３は、表示手段２により出力装置８上に表示された符号のうちから学習者によって選択された符号に対応する登録事項を瞬間的に点滅させる。
認識手段４は、フラッシュ手段３により出力装置８上に点滅された登録事項についての学習者の読みを入力装置９を介して認識する。ここで、入力装置９は、キーボード、マウス、マイク、通信（インターネット、無線（ＬＡＮ）等）を利用した手段である。
【００２１】
判定手段５は、登録事項についての認識手段４によって認識された学習者の発音と登録事項についての記憶手段１に記憶されている正しい発音とを比較して学習者の発音の正否を判定する。判定結果出力手段６は、判定手段４による判定結果を出力させる。制御手段７は、コンピュータ全体の動作を制御するものである。
【００２２】
以下に図２のフローチャートを用いて説明を行う。
ステップＳ１では、文章（文字列など）入力をする。例えば、「わあ、彼はとっても厳格な人なんだよ。君知ってた?」などの日本語を、英訳して「Oh, he is a very strict man, do you know that?」図３に示すように、データベースに記録する。ここで、「ＲＥＣ」は複数の登録事項に付される通し番号（符号）である。「ＴＥＸＴ」は上記登録事項を記録した内容を示している。なお、日本語の文章（テキスト）も「ＲＥＣ」に対応するようにデータベースに記録しておく。
【００２３】
入力は入力装置９により行い、例えば、テキスト形式で書かれたファイルなどを表示し、コピーアンドペーストでデータベース上に貼り付けて記録してもよい。また、予め外国語の文章（外国語だけの文章、または日本語と対応付けた日本語と外国語の文章）を作成し収めたファイルをデータベースにダウンロードなどして、自動的に図３に示す構成を生成してもよい。なお、歌詞等を入力しておいてもよい。
【００２４】
ステップＳ２では、文字を一定の字体に変換する。上記入力された登録事項を変換して、図２に示すように、「oh＿he＿is＿a＿very＿strict＿man＿do＿you＿know＿that＿」のようにする。ここでは英語文章を変換している。変換方法は、大文字を小文字に変換し、特殊な文字をスペース（本例では「＿」アンダバーにより示している）に変換する。なお、変換方法は限定されるものではない。
【００２５】
ステップＳ３では、ステップＳ２で変換された登録事項を、図４に示すように単語（ＴＡＮＧＯ）ごとに分けて保存する。データベース上の「ＲＥＣ」の通し番号に対応した位置に各単語を記録する。例えば、「ＲＥＣ」の１には、スペースで区切った単語ごとに、「ＴＡＮＧＯ」のＰ１に「oh」、Ｐ２に「he」、Ｐ３に「is」、〜Ｐ１０に「know」、Ｐ１１に「that」を記録する。
【００２６】
ステップＳ４では、チャンク（ＣＨＡＮＫ）単位に保存する。図５に示すように、ステップＳ３で生成したデータベースの単語（ＴＡＮＧＯ）を構成する各単語（Ｐ１〜ｎ：ｎは整数）を、チャンク単位に分ける。チャンク（ＣＨＡＮＫ）ＣＨ１にはＰ１を、ＣＨ２にはＰ２〜Ｐ７を、ＣＨ３にはＰ８〜Ｐ１１を記録する。上記説明したステップＳ１〜Ｓ４の処理によりチャンクを利用した学習ができるようになる。
【００２７】
次に、音声データから自動的にチャンクを生成する。
ステップＳ５では、文章を読み、音声データ（ＶＯＩＣＥ）を保存する。まず、図６に示すようにネイティブスピーカにデータベースに登録された文章を読んでもらい、入力装置９により録音する。ここで、音声はテレビやラジオなどから録音してもよいし、インターネットなどの通信回を利用して入力してもよい。この場合は録音した音声を後でテキスト化してもかまわない（ステップＳ１の処理）。
【００２８】
入力装置９はマイクにより音声を入力し、入力された音声波形信号をＡ／Ｄ変換し制御手段７により、音声データをデータベースに記録する。このとき入力音声を表示手段２により同図に示すように視覚的に表示してもよい。また、音声データ（ＶＯＩＣＥ）を「ＲＥＣ」の通し番号（符号）に対応付けをして記録する。
【００２９】
また、音声データの録音時間または該録音時間から再生時間を算出し、図７に示すように「ＲＥＣ」に対応した時間（ＡＬＬ＿ＴＩＭＥ）を記録する。算出方法は、例えば音声が聴こえる範囲としてもよいし後述する音声波形データから推測してもかまわない。なお、歌を録音してもよい。歌の場合は会話などと発音などが異なるが、チャンクを変形した形で利用することができる。つまり、歌の切れ目などをチャンクとして分けることが可能である。
【００３０】
ステップＳ６では、音声を音声波形データ（ＷＡＶＥ）で保存する。音声データから波形を表示するための波形画像を生成して音声波形データを保存する。図８に示すように、「ＲＥＣ」の通し番号に対応する音声データ「ＶＯＩＣＥ」に符号を付けて、音声波形データ（ＷＡＶＥ）を対応するように記録する。ここで、図８に示した「〜○○○〜」のような表示は、音声波形の画像データであることを示している。例えば、図６に示した「ＲＥＣ」の１に対応する「〜  Oh, he is a very strict man, do you know that?  〜」波形の画像データが音声データ（ＶＯＩＣＥ）Ａに対応付けられて記録されている。また、波形だけでなく他の画像や動画などを記録してもよい。
【００３１】
ステップＳ７では、音声データから文字（ＣＨＡＲ）に変換し保存する。図８に示すように音声データに基づいて文字列変換処理（テキスト変換）を行った結果を記録する。
ステップＳ８では、文字列変換時に、文字列変換に必要とした文字ごとの文字範囲時間と、文字範囲時間から単語範囲時間を生成し保存する。図９に示す波形によりステップ７、８の説明をする。「ＲＥＣ」１の例では、「Oh, he is a very strict man, do you know that?」の音声データの再生時間全体（ＡＬＬ＿ＴＩＭＥ）をｔｉｍｅ０とする。音声データ（ＶＯＩＣＥ）と音声波形データ（ＷＡＶＥ）などの情報から、各単語を認識（単語範囲と単語範囲時間を生成する）する。そして、チャンク単位にするのに必要な時間ｔｉｍｅ１〜ｔｉｍｅ３（破線部：チャンク範囲時間）を算出する。図１０に示すようにＰＯＳＩＴＩＯＮ＿ｔｉｍｅに記録する。
【００３２】
ステップＳ９では、単語（ＴＡＮＧＯ）と文字（ＣＨＡＲ）を比較する。その結果が同程度であれば次のステップに進む。同程度とは、１）文字数が同じである、２）単語数が同じである、３）単語内の文字が２文字以上異なっていないなどの条件を予め設定して、この条件を満たしていれば同程度とする。ここで、条件は利用者が設定してもよいし、予め設定しておいてもよい。同程度でない場合（条件を満たさない場合）は、ステップＳ５で再度音声を読み込み、再度比較をし直す。なお、ステップＳ５に戻らずにステップＳ７に戻り何度か比較をした後にＳ７に戻ってもよい。さらに、例えば、１０回（ｎ回）以上比較しても条件を満たさなければステップＳ１０に進んでもよい。特に回数は限定するものではない。
【００３３】
ステップＳ１０では、チャンク（ＣＨＡＮＫ）と文字（ＣＨＡＲ）を比較し同程度であるか判定する。ステップＳ９で行ったような比較を、チャンク単位で比較行う。なお、ステップＳ１０は、精度を上げるための処理であるのでステップＳ９だけでもよい。また、ステップＳ９もなくてもかまわない。
【００３４】
ステップＳ１１では、チャンク（ＣＨＡＮＫ）の情報からポジション情報を導き保存する。図１０に示す「ＰＯＳＩＴＩＯＮ」に「ＲＥＣ」の通し番号（符号）に対応したチャンクの区切りを示す単語の位置を記録する。例えば、「ＲＥＣ」１ではＰ２とＰ８を記録する。なお、ステップＳ１１は、ＣＨＡＮＫ情報を利用すればこの処理をなくしてもかまわない。
【００３５】
ステップＳ１２では、音声データ（ＶＯＩＣＥ）から予め設定したポイントを検出しアジャスト情報（調整範囲時間）を保存する。本例では便宜上音声波形データ（ＷＡＶＥ）により説明する。図９に示す音声レベルの閾値を予め設定し、その閾値の範囲内の音声レベルが連続して予め設定した時間（判定値）以上発生した場合、図１０に示すようにアジャスト情報（調整範囲時間）として記録する。例えば、図９ではアジャスト情報をａｄ１〜ａｄ４に示す。なお、音声波形データ（ＷＡＶＥ）を利用してもかまわない。
【００３６】
ステップＳ１３では、チャンク範囲時間（または、ポジション情報）とアジャスト情報（調整範囲時間）を照合してチャンク範囲時間（ＣＨＡＮＫ＿ｔｉｍｅ）を調整する。図１０に示すようにＰＯＳＩＴＩＯＮ＿ｔｉｍｅを構成するＰＯＴ１〜ＰＯＴｎまでのデータとＡＤＪＵＳＴ＿ｔｉｍｅを構成するＡＤＴ１〜ＡＤＴｎまでのデータにより、チャンク範囲時間の調整をする。図１１に示すように「ＲＥＣ」１の場合は、ステップＳ８で生成したｔｉｍｅ１〜３とステップＳ１０で生成したａｄ１〜４に基づいてチャンク範囲時間（ＣＨＡＮＫ＿ｔｉｍｅ）を調整する。例えば、「ＲＥＣ」１においては、ｔｉｍｅ１にａｄ１とａｄ２に基づいた情報を、ｔｉｍｅ２にａｄ２とａｄ３に基づいた情報を、ｔｉｍｅ３にａｄ３とａｄ４に基づいた情報を付加する。計算式の例を示す、ａｄ０とａｄ４は加工せず、チャンクに挟まれた領域のａｄ２とａｄ３を半分にしてから付加する。
【００３７】
式１はｔｉｍｅ１にａｄ１とａｄ２の半分の時間を加算してＣＨＴ１を算出する。式２はｔｉｍｅ２にａｄ２およびａｄ３の半分の時間を加算してＣＨＴ２を算出する。式３はｔｉｍｅ４にａｄ３の半分とａｄ４の時間を加算してＣＨＴ３を算出する。
ＣＨＴ１＝ｔｉｍｅ１＋ａｄ１＋（ａｄ２／２）          ・・・  （式１）
ＣＨＴ２＝ｔｉｍｅ２＋（ａｄ２／２）＋（ａｄ３／２）  ・・・  （式２）
ＣＨＴ３＝ｔｉｍｅ３＋（ａｄ３／２）＋ａｄ４          ・・・  （式３）
なお、上記式１〜３の結果の合計が、再生時間全体（ＡＬＬ＿ＴＩＭＥ）を超えないように調整する。本例では、チャンク１が０．９６６となり、チャンク２が２．０１５となり、チャンク３が０．９１６となるため、合計は３．８９７になる。また、式１〜３はアジャスト情報を利用者が調整する構成にしてもよい。
【００３８】
ステップＳ１４では、チャンク範囲時間（ＴＩＭＥ２）に基づきチャンク構成比（ＲＡＩＴＯ）を算出する。例えば、図１１に示すように再生時間全体（ＡＬＬ＿ｔｉｍｅ）と、各チャンクの音声再生時間であるチャンク範囲時間（ＣＨＡＮＫ＿ｔｉｍｅ）から比率を算出する。
フラッシュ表示構成比
ＲＡ１＝０．９６６÷３．８４８＝２５％  ・・・  （式４）
ＲＡ１＝２．０１５÷３．８４８＝５２％  ・・・  （式５）
ＲＡ１＝０．９１６÷３．８４８＝２３％  ・・・  （式６）
ステップＳ１５では、チャンク構成比（ＲＡＩＴＯ）を基にフラッシュ表示する。フラッシュ学習法の難易度設定で全体フラッシュ表示時間を求め、各フラッシュ表示時間を連続フラッシュする。
【００３９】
また、フラッシュ表示時間を難易度に合わせて初級・中級・上級の三段階とする。１） デフォルトの英文全体のフラッシュ表示時間を音声再生時間と同一と設定する。２） 各フラッシュ時間の難易度係数をデフォルトの表示時間対比で表１のように設定する(短い時間ほど認識難易度は高い)。
【００４０】
【表１】
2007133052.tif 000003
【００４１】
上記構成により、イ）頻度の高いチャンク単位で脳に効率よくブロック記憶される。ロ）チャンクブロック単位で音声リズム情報と共に記憶が出来る。ハ）新たな英文を脳で再生産する際、チャンク単位の効率の良い組み合わせで出力が出来る。ニ）つまりチャンク単位の英文がスピーディに音声言語(声)や文字言語(書く・タイプで打つ)で早く正確に再生産が可能になる。
【００４２】
なお、図１２に示ように、チャンク音声と同時に手拍子の波形画像や動画、また人の顔や動きを画像や動画を一緒に表示する。また、チャンク１に合わせて、１拍子の音声や波形データ、例えば「ｏｈ！」と言っている人の顔や画像データを表示する。チャンク２に合わせて、４拍子の音声や波形データ、また「ｈｅ ｉｓ ａ ｖｅｒｙ ｓｔｒｉｃｔ ｍａｎｏｈ」と言っている人の顔や画像データを表示する。また「ｄｏ ｙｏｕ ｋｎｏｗ ｔｈａｔ？」と言っている人の顔や画像データを表示する。
【００４３】
上記構成により、チャンクの強弱・スピードに応じて手拍子等の日言語個音声を別途作成し、分離・合成しながら学習者に聞かせることにより、リズム・強弱・イントネーションを伴った音声学習が可能になる。手拍子ピッチ(時には単体・時には英語音声と合体させて)学習者に聞かせ、英文を発音・タイピングさせる。英語のリズムと連動したチャンク記憶・リズム・強弱・イントネーションの音声トレーニングが効果的に実現できる。
【００４４】
三つのレイヤーの要素を時系列に組み合わせて(単体・二要素・三要素一括)、脳内に聴覚残像・視覚残像を植え付け最終的には脳梁を通して左脳で言語変換し、口や指からの出力訓練を行う。全脳・身体を活用した長期記憶・身体記憶と連動した効果の高い瞬間学習が実現できる。
【００４５】
なお、日本人にとって最も苦手な前置詞について、チャンク中に前置詞がある場合は強調表示する。例えば、前置詞をイメージ化（アニメーションなどにより擬人化）してチャンクとともに表示をする。
【００４６】
なお、日本語学習におけるチャンクをする際は、外国人が最も苦手とする助詞について、例えば「て」「に」「お」「は」「が」「も」「か」「の」などを強調して表示する。また、チャンク単位ごとに意味分類をして、音階などを対応させて表示する。また、音階ごとの音に色を割付け、例えば、意味が主語（Ｓ）であれば、ドは紺色で表示し、レのときは赤として行為（Ｖ）を表し、ミは緑として目的語（Ｏ）を表し、ファは紫として補語（Ｃ）を表し、ソは青として時間（Ｔ）を表し、ラは橙として場所（Ｐ）を表し、シは竹色として状況（Ｏ）を表し、高いドは灰色として感嘆詞、擬音語、擬態語（Ｅ）を表し、助詞（Ｈ）を表す（音階以外の特殊な音を割り当てる）。
【００４７】
そして、チャンク単位ごとに意味分類して、助詞以外の部分は音階で表示（色も表示）するとともに日本語のリズムに合わせて音階を表示する。
ところで、実施例１、２などで示した処理を、前述したような標準的なコンピュータのＣＰＵに行わせるための制御プログラムを作成してコンピュータ読み取り可能な記録媒体に記録させておき、そのプログラムを記録媒体からコンピュータに読み込ませてＣＰＵで実行させるようにしても、本発明の実施は可能である。
【００４８】
記録させた制御プログラムをコンピュータシステムで読み取ることの可能な記録媒体の例を図１３に示す。このような記録媒体としては、例えば、コンピュータシステム１３０に内蔵若しくは外付けの付属装置として備えられるＲＯＭやハードディスク装置などの記憶装置１３２、コンピュータシステム１３０に備えられる媒体駆動装置へ挿入することによって記録された制御プログラム１３１を読み出すことのできるフレキシブルディスク、ＭＯ（光磁気ディスク）、ＣＤ−ＲＯＭ、ＤＶＤ−ＲＯＭなどといった携帯可能記録媒体１３３等が利用できる。
【００４９】
また、記録媒体は通信回線１３４を介してコンピュータシステム１３０と接続される、プログラムサーバ１３５として機能するコンピュータシステムが備えている記憶装置１３６であってもよい。この場合には、制御プログラムを表現するデータ信号で搬送波を変調して得られる伝送信号を、プログラムサーバ１３５から伝送媒体である通信回線１３４を通じてコンピュータシステム１３０へ伝送するようにし、コンピュータシステム１３０では受信した伝送信号を復調して制御プログラムを再生することでこの制御プログラムをコンピュータシステム１３０のＣＰＵで実行できるようになる。
【００５０】
また、本発明は、上記実施の形態に限定されるものでなく、本発明の要旨を逸脱しない範囲内で種々の改良、変更が可能である。
【図面の簡単な説明】
【００５１】
【図１】本発明の実施形態を示す図である。
【図２】本発明のアルゴリズムを示すフローチャートである。
【図３】本発明のデータベースの構造を示す図である。
【図４】本発明のデータベースの構造を示す図である。
【図５】本発明のデータベースの構造を示す図である。
【図６】音声を入力するときの構成と波形を示す図である。
【図７】本発明のデータベースの構造を示す図である。
【図８】本発明のデータベースの構造を示す図である。
【図９】データからチャンクを生成するときの図である。
【図１０】本発明のデータベースの構造を示す図である。
【図１１】本発明のデータベースの構造を示す図である。
【図１２】本発明の変形例を示す図である。
【図１３】本発明の実施形態を示す図である。
【符号の説明】
【００５２】
１  記憶手段、２  表示手段、３  フラッシュ手段、４  認識手段、
５  判定手段、６  判定結果出力手段、７  制御手段、８  出力装置、
９  入力装置、
１３０  コンピュータシステム、１３１  制御プログラム、
１３２  記憶装置、１３３  携帯可能記録媒体、１３４  通信回線、
１３５  プログラムサーバ、１３６  記憶装置、
【図１】
2007133052.tif 000004
【図２】
2007133052.tif 000005
【図３】
2007133052.tif 000006
【図４】
2007133052.tif 000007
【図５】
2007133052.tif 000008
【図７】
2007133052.tif 000009
【図８】
2007133052.tif 000010
【図９】
2007133052.tif 000011
【図１０】
2007133052.tif 000012
【図１１】
2007133052.tif 000013
【図１３】
2007133052.tif 000014
【図６】
2007133052.tif 000015
【図１２】
2007133052.tif 000016